(57)【特許請求の範囲】
【請求項１】
シート本体部の縦方向両側部に係合オス部材と係合メス部材の一方をそれぞれ溶着してなる地中遮断板であって、前記係合オス部材はオス係合部と該オス係合部と一体化され前記シート本体部に溶着する基部とからなり、該シート本体部と溶着する部分を除いた基部に縦方向肉厚部を設けたことを特徴とする地中遮断板。
【請求項２】
前記係合メス部材はメス係合部と該メス係合部と一体化され前記シート本体部に溶着する基部とからなり、前記係合メス部材の下端部に、前記基部に固定される付け根部と、該付け根部に一体化され前記メス係合部側面及び先端面を覆うカバー部とを備えた補強具を設けたことを特徴とする請求項１記載の地中遮断板。
【請求項３】
前記補強具の先端の下端部に丸みを形成したことを特徴とする請求項２記載の地中遮断板。
【発明の詳細な説明】
【０００１】
【発明の属する技術分野】
本発明は、例えば、廃棄物による地下汚染の拡大防止、調整池や河川堤防の封じ込めを目的とする地中遮断板構築工法で使用する地中遮断板（以下、単に「遮断板」とも言う）に関するものである。
【０００２】
【従来の技術】
従来より、廃棄物による地下汚染の拡大防止、調整池や河川堤防の封じ込めなどを目的として、地中遮断壁を構築する場合、通常、地中に適宜幅の矢板、止水板などの遮断板を幅方向に順次に接続しながら打設する方法が採られている。
【０００３】
遮断板は、主として厚さが薄くても剛性を示す鋼板や可撓性の合成樹脂製のシートが使用され、例えば、図４に示すように、遮断板の有効幅Ｗが約１〜１．５ｍ、板長Ｈが打設深度により異なる有効長さを有するシート本体部１１と、貫入フレームにセットする際の下部掴みしろ１８と、隣接の遮断板と係合する両端の係合部１２を有する遮断板１０が知られている。
【０００４】
そして、遮断板の地中への貫入は、貫入フレームを使用して行い、遮断板のメス係合部の下端部を地中縦方向に既に埋設されている遮断板のオス係合部に係合させながら地中に連行する。この場合、該メス係合部の下端部は地盤の抵抗を受けるため変形し易く、この変形によって、オス係合部とメス係合部の係合が円滑に行われないという問題がある。この問題を解決するものとして、図５に示すような、付け根部２１と、該付け根部２１に一体化され雌部２２外周を覆って雌部変形を阻止するカバー部２３とを備える補強具２０を可撓性遮断板の雌部２２の下端に設けることにより、地中連行時における形状変形を阻止する方法が開示されている（実公平７−３５８６０号公報）。
【０００５】
【発明が解決しようとする課題】
しかしながら、地中縦方向に貫入され貫入フレームから外された遮断板は周りの土砂の崩れにより可撓性であるが故に大きく変形することがあり、この変形は両側部の係合部分の縦方向の短い範囲で、前後方向の変位量が２０cm以上にも及ぶことがある。このような大きな変形をした既設の遮断板のオス係合部に、上記補強具２０を取り付けた遮断板のメス係合部を係合させても、そのオス係合部の変位にメス係合部が追従できず、遂には係合が外れるという問題がある。
【０００６】
従って、本発明の目的は、地中貫入時及び地中貫入後に外力が作用しても係合部近傍の形状変形が少なく、確実な係合が行える地中遮断板を提供することにある。
【０００７】
【課題を解決するための手段】
かかる実情において、本発明者らは鋭意検討を行った結果、係合オス部材（雄部）には係合部近傍の縦方向に肉厚部分を設けて補強し、係合メス部材（雌部）には、その下端部のメス係合部の外側全体を覆う補強具を設けて補強すれば、地中貫入時及び地中貫入後に外力が作用しても当該係合部の形状変形が少なく、確実な係合が行えることなどを見出し、本発明を完成するに至った。
【０００８】
すなわち、本発明（１）は、シート本体部の縦方向両側部に係合オス部材と係合メス部材の一方をそれぞれ溶着してなる地中遮断板であって、前記係合オス部材はオス係合部と該オス係合部と一体化され前記シート本体部に溶着する基部とからなり、前記基部に縦方向肉厚部を設けたことを特徴とする地中遮断板を提供するものである。かかる構成を採ることにより、特に、可撓性遮断板の地中貫入後、該遮断板の係合オス部材近傍に外力が作用しても、形状変形を少なくできる。このため、貫入後の遮断板のオス係合部と貫入する遮断板のメス係合部との係合が円滑に行われる。
【０００９】
また、本発明（２）は、シート本体部の縦方向両側部に係合オス部材と係合メス部材の一方をそれぞれ溶着してなる地中遮断板であって、前記係合メス部材はメス係合部と該メス係合部と一体化され前記シート本体部に溶着する基部とからなり、前記係合メス部材の下端部は、前記基部に固定される付け根部と、該付け根部に一体化され前記メス係合部側面及び先端面を覆うカバー部とを備えた補強具を設けたことを特徴とする地中遮断板を提供するものである。かかる構成を採ることにより、地中貫入時、地盤の抵抗によるメス係合部の形状変形を抑制できると共に、地中貫入後、当該既設遮断板の係合オス部材近傍に外力が作用して大きな変形を受けたとしても、メス係合部のオス係合部への追従性が高く、係合が確実に行われる。
【００１０】
【発明の実施の形態】
本発明の実施の形態における地中遮断板を図１〜図３を参照して説明する。図１は本実施の形態例の遮断板の下端部の概略図、図２は図１に示される補強具の斜視図、図３は図１の係合部分の斜視図をそれぞれ示す。地中遮断板１０は、シート本体部１の縦方向両側部に係合オス部材２と係合メス部材３の一方をそれぞれ溶着してなる可撓性の合成樹脂製遮断板である。
【００１１】
係合オス部材２は、オス係合部４と、このオス係合部４と一体化されシート本体部１に溶着する基部５とからなる。基部５には縦方向肉厚部６が設けられている。肉厚とは、肉厚部の厚みが基部５の厚みより大きいものを言う。縦方向肉厚部６の形状としては、特に制限されず、例えば、断面形状が２つの台形を底辺で合わせた形状（図１及び図３）、円形状、楕円状及び矩形状などが挙げられる。縦方向肉厚部６の設置位置は基部５内であれば、何処でもよいが、オス係合部４とメス係合部８の係合の障害とならない範囲で該係合部の近傍とすることが、外力の作用による形状変形を低減できる点で好適である。
【００１２】
係合メス部材３は、メス係合部８と、このメス係合部８と一体化されシート本体部１に溶着する基部７とからなる。係合メス部材３の下端部には、補強具９が取り付けられている。補強具９は、施工時の地中貫入に際して予め付設されるもので、基部７に固定される付け根部９１と、付け根部９１に一体化されメス係合部側面及び先端面を覆うカバー部９２とを備えたものである。その一例を図２に示すが、左右一対の金属製で、付け根部９１の片部９２２に設けられた貫通穴９２３を通してリベット締めされるものである。カバー部９２は片部９２２から略Ｖ字状に立ち上がり、次いで平行に折り曲げられ、更にその先端部は内側に折り曲げられて鍔部９２１を形成している。
【００１３】
鍔部９２１は、図１及び図２ではカバー部９２の平行部９２ａに対して、直角方向に曲げられているが、これを更に内側に曲げ、メス係合部８の先端のフック形状に沿うようにしてもよい。また、鍔部９２１の折り曲げ深さは、適宜適当な長さに決定される。鍔部９２１の折り曲げ深さが大き過ぎると係合オス部２の基部５に損傷を与えることとなり、浅すぎると形状変形に伴うメス係合部のオス係合部への優れた追従性が得られなくなる。また、補強具９の先端、すなわち、鍔部９２１の下端部には丸み９２４、９２４が形成されている。この丸み９２４は、特に、地中貫入の際、補強具９がオス係合部材２の基部５に当たっても損傷を小さくすることができる。このような補強具９は係合メス部材３に取り付けられて、地中貫入時、地盤の抵抗によるメス係合部の形状変形を抑制すると共に、地中埋設後、既設遮断板の係合オス部材近傍に外力が作用して大きな変形を受けたとしても、メス係合部のオス係合部への追従性をよくする。
【００１４】
次に、本実施の形態例における地中遮断板を使用して、地中連続遮断壁を構築する方法について説明する。上記の如く、係合オス部材に肉厚部を形成し、係合メス部材に補強具を取り付けた遮断板を必要枚数用意する。遮断板を設置地盤に貫入する方法は、公知の方法が使用される。すなわち、遮断板１０ｂを、貫入機により剛性に富む貫入フレームと共に地中に貫入し、所定深さに貫入した後、遮断板を残して貫入フレームを引き上げることにより行われる。次で、次の遮断板１０ａを同様の方法で貫入する。この貫入は、貫入する遮断板１０ａのメス係合部８の下端部を地中縦方向に既に埋設されている遮断板１０ｂのオス係合部に係合させ、且つ紐状のシール材１３をオス係合部の先端でメス係合部内に配しながら行う。この場合、該メス係合部の下端部は補強具９で補強されており、地盤の抵抗を受けても変形し難い。また、地中埋設後、既設遮断板１０ｂが係合オス部材近傍に周辺土砂の崩れにより外力が作用して大きな変形を受けたとしても、係合オス部材は縦方向肉厚部の補強効果により腰が強くなっており、更に係合メス部材の補強具９との共働により、メス係合部のオス係合部への追従性が高くなる。このような方法を繰り返し行うことにより、所定の地盤に地中連続遮断壁を構築することができる。
【００１５】
上記の方法により得られた遮断板１０ａの係合部と遮断板１０ｂの係合形態は、図３に示されるもので、係合オス部材２と係合メス部材３の係合が確実に行われており、且つ係合隙間に水膨張性シール材１３を介在せしめて高い水密性を保持する構造を採っている。
【００１６】
本発明の地中遮断板は、上記実施の形態例のように、係合オス部材２に縦方向肉厚部６を形成した遮断板１０ｂと、係合メス部材３に補強具９を取り付けた遮断板１０ａとの組み合わせの他、係合メス部材２に縦方向肉厚部６を形成した遮断板１０ｂと、従来例にある雌部を有する遮断板の組み合わせ、従来例にある雄部を有する遮断板と、係合メス部材３に補強具９を取り付けた遮断板との組み合わせのものが使用できる。
【００１７】
【発明の効果】
請求項１の発明によれば、可撓性遮断板の地中貫入後、該遮断板の係合オス部材近傍に外力が作用しても、形状変形を少なくできる。このため、貫入後の遮断板のオス係合部と貫入する遮断板のメス係合部との係合が円滑に行われる。
【００１８】
請求項２の発明によれば、地中貫入時における係合部分の形状変形を抑制できると共に、地中貫入後、当該既設遮断板の係合オス部材近傍に外力が作用して大きな変形を受けたとしても、メス係合部のオス係合部への追従性が高く、係合が確実に行われる。請求項３の発明によれば、地中貫入の際、補強具がオス係合部材の基部に当たっても損傷を与えることがない。
【図面の簡単な説明】
【図１】本実施の形態例の遮断板の下端部の概略図を示す。
【図２】図１で示される補強具の斜視図を示す。
【図３】図１の係合部分の斜視図を示す。
【図４】通常使用される遮断板の概略図を示す。
【図５】従来の補強具を取り付けた雌部を示す。
【符号の説明】
１、１１    シート本体部
２          係合オス部材
３          係合メス部材
４          オス係合部
５          基部（オス側）
６          縦方向肉厚部
７          基部（メス側）
８          メス係合部
９、２０    補強具
１０、１０ａ、１０ｂ、１０ｃ  地中遮断板
１２          係合部
１３          水膨潤性シール材
２１、９１    付け根部
２３、９２    カバー部
９２１        鍔部
９２２        片部
９２３        リベット穴（貫通穴）
９２４        丸み
【図１】
0003678989.tif 000002
【図２】
0003678989.tif 000003
【図３】
0003678989.tif 000004
【図４】
0003678989.tif 000005
【図５】
0003678989.tif 000006